(57)【要約】      （修正有）【課題】コネクタアセンブリと、コネクタアセンブリの組立者を高電圧電力から良好に保護する接続構成とを提供する。【解決手段】端子ホルダ１８と、複数の端子３，４の間での電気接続のため長手軸線の方向に前記端子３，４を挟持するための、端子ホルダ１８に収容される締結アセンブリ２０とを包含する電気コネクタアセンブリ１であって、締結アセンブリ２０が、金属材料製の第１締結部材２３と、第２締結部材とを含み、第１締結部材２３および第２締結部材が端子３，４を挟持するため互いに接続されて端子受容エリアを画定し、第１締結部材２３と端子受容エリアとの間に構成される絶縁構成をさらに包含する電気コネクタ。【選択図】図１
2016115675.tif 000002
【特許請求の範囲】
【請求項１】
端子ホルダ（１８）と、
複数の端子（３，４）の間での電気接続のため長手軸線（Ｌ）の方向に前記端子（３，４）を挟持するための、前記端子ホルダ（１８）に収容される締結アセンブリ（２０）であって、金属材料で製作された第１締結部材（２３）と、第２締結部材（２９）とを含み、前記第１および第２締結部材（２３，２９）が前記端子（３，４）を挟持するため互いに接続されて端子受容エリア（３７）を画定する、締結アセンブリ（２０）と、
前記第１締結部材（２３）と前記端子受容エリア（３７）との間に構成される絶縁構成（３０）とを包含する電気コネクタアセンブリ（１）において、
前記第１締結部材（２３）が、ネジ形成シャフト（２５）とネジヘッド（２４）とを有するネジであり、
前記第２締結部材（２９）が、前記第１締結部材（２３）の前記ネジ形成シャフト（２５）を受容する内ネジ（２８）を有すること、
を特徴とする電気コネクタアセンブリ。
【請求項２】
前記絶縁構成（３０）が、電気絶縁材料で製作されて前記ネジ（２３）の前記ネジ形成シャフト（２５）を受容する絶縁スリーブ（３１）を包含すること、
を特徴とする、請求項１に記載の電気コネクタアセンブリ。
【請求項３】
前記絶縁スリーブ（３１）が、前記ネジ（２３）の前記ネジヘッド（２４）と当接するフランジ部分（３２）を一端部に有すること、
を特徴とする、請求項２に記載の電気コネクタアセンブリ。
【請求項４】
前記絶縁構成（３０）が、電気絶縁材料で製作されて前記第２締結部材（２９）と当接する絶縁ワッシャ（３３）を包含することと、
前記ネジ（２３）の前記ネジ形成シャフト（２５）が前記絶縁ワッシャ（３３）の孔（３４）へ導入されることと、
を特徴とする、請求項１に記載の電気コネクタアセンブリ。
【請求項５】
前記端子ホルダ（１８）が、前記締結アセンブリ（２０）を受容および保持するための受容部（１９）を有すること、
を特徴とする、請求項１に記載の電気コネクタアセンブリ。
【発明の詳細な説明】
【技術分野】
【０００１】
本発明は、端子ホルダと、複数の端子の間の電気接続のため長手軸線の方向に端子を挟持するための挟持アセンブリとを包含する電気コネクタアセンブリに関し、挟持アセンブリは、金属材料で製作される第１挟持要素と、第２挟持要素とを含み、第１および第２挟持要素は、端子を挟持するため互いに接続されて端子受容エリアを画定する。加えて、本発明は、このようなコネクタアセンブリと、挟持アセンブリの端子受容エリアに受容されて、第１および第２端子の間での電気接続のため挟持アセンブリにより挟持される第１端子および第２端子とを包含する接続構成に関する。
【背景技術】
【０００２】
この種の電気コネクタアセンブリは、米国特許第８６７２７００号明細書と米国特許出願公開第２０１１／００７０７６１号明細書に記載されている。
【０００３】
自動車は様々な電子機器を含む。ハイブリッド車または電気自動車は例えば、電動モータと、バッテリの直流電力を交流電力に変換するインバータとを含みうる。モータとインバータとの間の接続にコネクタアセンブリが利用されることは知られている。電線でモータに接続されてインバータのコネクタ受容部に装着されるコネクタは、例えば特開平１１−１２６６６１号公報に記載されている。特開平１１−１２６６６１号公報のコネクタアセンブリは、コネクタ（接続端子のアセンブリ）とコネクタ受容部とを含む。コネクタは、端子と、端子を受容するコネクタハウジングとを有する。端子は、ボルトを受け入れる孔を有する。
【０００４】
コネクタ受容部は、コネクタの貫入を受け入れる挿入孔を備える箱形ケースと、コネクタが挿入孔に位置決めされた時に端子と重ね合わされる端子部分とを有する。端子部分は、端子の孔と連通する第２孔を有する。挿入孔は、ケースの側面に配置される。ケースは上面に締結孔を有する。締結孔は挿入孔と連通して、端子と端子部分とを一緒に締結するボルト（締結部材）を受け入れる。
【０００５】
コネクタアセンブリは、以下のようにコネクタおよびコネクタ受容部により組み立てられる。コネクタがケースの側面へ近づけられ、挿入孔へ挿入される。端子が端子部分に重ね合わされて、孔と第２孔とを互いに連通させる。そして、端子と端子部分とがボルトで締結されるように、ボルトがケースの上面から締結孔を通って、連通した孔および第２孔へ挿入される。
【０００６】
従来のコネクタアセンブリでは、ケースの側面からコネクタ受容部の挿入孔へコネクタが挿入され、締結部材は、ケースの上面から締結孔を通って挿入されて端子と端子部分とを締結する。ゆえに、コネクタの挿入を受け入れる側面の挿入スペースと、締結部材の挿入を受け入れるためのケースの上面の締結エリアとを有することが必要である。
【０００７】
装着スペース（挿入スペースと締結エリア）の必要性が、車内の限定スペースの有効利用を制限する。
【０００８】
そのため、米国特許第８６７２７００Ｂ２は、縮小スペースにおけるコネクタ受容部へのコネクタの装着を許容する解決法を提案している。したがって、米国特許第８６７２７００Ｂ２に記載のコネクタアセンブリは、端子と端子を受容するためのコネクタハウジングとを含むコネクタ、コネクタの貫入を受け入れるための挿入孔を有するケースと、挿入孔に受容されて端子に接続される端子部分とを含むコネクタ受容部、そして、コネクタとコネクタ受容部とを一緒に締結するための締結部材を包含し、端子は、電線に接続される電気接続部分と、電気接続部分から直立するとともに孔を有する電気接点部分とを有し、コネクタハウジングは、電気接続部分を受容するためのハウジング本体と、ハウジング本体に接続されて、コネクタの挿入方向に沿った中央軸線を有する柱体部分とを含み、挿入方向に設置される孔を備える電気接点部分を受容するため、電気接点部分が接続部分と重ね合わされる時に孔と連通される第２孔を備える接続部分を端子部分が有し、ケースは、挿入孔を有するケース本体と、第２孔が挿入方向と整列されるようにケース本体に装着されて接続部分を支持するハウジング部分とを含み、また、コネクタがコネクタ受容部の挿入孔の内側に位置決めされて、電気接点部分が接続部分と重ね合わされる時に、締結部材は、柱体部分の開口部から連通孔および第２孔へ挿入可能であって、電気接点部分と接続部分とをまとめて締結することが可能である。
【発明の概要】
【発明が解決しようとする課題】
【０００９】
締結部材は、第２締結部材の内ネジへネジ結合される第１締結部材としてのネジである。二つの締結部材の間には、第１端子としての接続部分と第２端子としての電気接点部分とが挟持される。ネジは端子との直接接触状態にあるため、締結アセンブリを締結するための特殊な電気絶縁工具を使用する必要があり、組立者がコネクタアセンブリの電流導通部材に触れる危険がある。
【００１０】
本発明の目的は、コネクタアセンブリと、コネクタアセンブリの組立者を高電圧電力から良好に保護する接続構成とを提供することである。
この目的は、独立請求項に係る主題により解決される。本発明の好適な実施形態は、従属請求項に記載されている。
【００１１】
このような電気コネクタアセンブリとこのような接続構成との利点は、締結アセンブリが電気接続から、つまり通電されているすべての部品から完全に電気絶縁されることである。絶縁構成は、挟持される端子が締結アセンブリとの電気接触状態にないため、端子が通電された場合に、締結アセンブリが通電されず、電気コネクタアセンブリの組立者が、普通の金属製工具を使用した時でも、締結アセンブリに触れた場合の電気災害が発生しないことを保証する。
【課題を解決するための手段】
【００１２】
通常、電気自動車またはハイブリッド車では、ボルト締結によるアイレット接続が使用される。そのため、第１締結部材は、ネジ形成シャフトとネジヘッドとを有するネジ（ボルト）である。第２締結部材は、ネジのネジ形成シャフトを受容する内ネジを有する。アイレット端子またはフォーク状端子の形の端子が、ネジのネジ形成シャフトに取り付けられて、ネジと、好ましくはネジナットである第２締結部材とにより締結されうる。
【００１３】
好ましくは、絶縁構成は、電気絶縁材料で製作されてネジのネジ形成シャフトを受容する絶縁スリーブを包含する。アイレット端子またはフォーク状端子の形の電気端子は絶縁スリーブの周りに配置されるため、ネジと接触しない。
【００１４】
端子がネジと接触しないことをさらに保証するため、絶縁スリーブは、ネジのネジヘッドと当接するフランジを一端部に備えうる。
【００１５】
絶縁構成はさらに、電気絶縁材料で製作されて第２締結部材と当接する絶縁ワッシャを包含しうる。ネジのネジ形成シャフトは絶縁ワッシャの孔へ導入される。ゆえに、絶縁ワッシャは第２締結部材と当接するため、第２締結部材が金属材料で製作される場合でも、第１締結部材も第２締結部材も端子の一方と接触しないことが保証される。端子はネジヘッドと第２締結部材との間に挟持され、ネジヘッドと端子の一方との間には絶縁スリーブのフランジ部分が配置され、第２締結部材と端子の一方との間には絶縁ワッシャが配置される。加えて、ネジ形成シャフトとすべての端子との間には絶縁スリーブが配置されるため、完成締結アセンブリは端子から電気的に絶縁される。
【００１６】
絶縁ワッシャの孔は、絶縁スリーブの一部を受容して絶縁スリーブを径方向に支持する大径部分を有しうる。ネジ形成シャフトがスリーブへ導入されない限り絶縁ワッシャに対する絶縁スリーブの不用意な移動を回避する絶縁構成を予備組立することが容易となる。
【００１７】
電気コネクタアセンブリの予備組立をさらに可能にするため、端子ホルダは締結アセンブリを受容および保持するための受容部を有しうる。好ましくは、端子ホルダは樹脂材料などの電気絶縁材料で製作される。
【００１８】
受容部は、好ましくは、締結アセンブリおよび／または複数の端子のうちの第１端子を長手軸線に対して径方向に挿入するための第１開口部を有する。
【００１９】
受容部はさらに、複数の端子のうちの第２端子を長手軸線に対して径方向に挿入するための第２開口部を有する。
【００２０】
端子ホルダ内での絶縁構成の予備組立を容易にするため、受容部は、長手軸線に対して横方向に絶縁スリーブのフランジを受容するための二つの対向配置案内溝部を有しうる。溝部は互いに平行に配置され、フランジの縁部が案内溝部と平行であってここに案内されうるように、フランジは矩形の外側形状を有しうる。
【００２１】
受容部はさらに、第２締結部材を受容して長手軸線を中心とする回転に対して第２締結部材を支持するための第１凹部を有しうる。好ましくは、第２締結部材は六角形の外側形状を有するネジナットである。第１凹部は好ましくは、ネジナットを受容して回転しないようにネジナットを支持する相補的な六角形の形状を有する。しかし、長手軸線を中心とする第１凹部内での第２締結部材の回転が回避される限り、第２締結部材と第１凹部とは円形線から逸脱した任意の外側形状を有しうる。
【００２２】
受容部は、絶縁ワッシャを受容して、絶縁ワッシャが受容部から径方向に外れないように絶縁ワッシャを支持するための第２凹部も有しうる。第２凹部と絶縁ワッシャとは、長手軸線を中心とする回転に対して絶縁ワッシャが第２凹部にさらに支持されるように円形線から逸脱した外側形状も有しうる。
【００２３】
この目的は、上述した電気コネクタアセンブリを包含するとともに、締結アセンブリの端子受容エリアに受容されて第１および第２端子の間の電気接続のため締結アセンブリにより挟持される第１端子および第２端子を包含する接続構成によっても解決される。接続構成は、二つのみかそれ以上の端子を包含しうる。
【００２４】
第１端子は、好ましくは、孔を備えるアイレット部分を有し、締結アセンブリはこの孔へ導入される。第２端子は、第２端子を締結アセンブリへ径方向に取り付けるためのスロットを備えるフォーク状部分を有しうる。
【００２５】
ゆえに、第１端子のアイレット部分の孔において締結アセンブリを軸方向に移動させることにより、第１端子が締結アセンブリに取り付けられうる。第２端子を締結アセンブリへ径方向に移動させることにより、第２端子が締結アセンブリに取り付けられうる。好ましくは、このような形態において、締結アセンブリはネジの形の第１締結部材と、ネジナットの形の第２締結部材とを包含する。
以下の図面を参照して好適な実施形態が説明される。
【図面の簡単な説明】
【００２６】
【図１】図１は、ケース内に電気コネクタアセンブリを備える接続構成の分解斜視図である。
【図２】図２は、図１による構成の長手断面である。
【図３】図３は、図１による電気コネクタアセンブリの端子ホルダの斜視図である。
【図４】図４は、締結アセンブリおよび端子が挿入された図３による端子ホルダの斜視図である。
【発明を実施するための形態】
【００２７】
図１から４は、発明を異なる図で描いたものであり、まとめて説明される。
図は、箱形ケース２に封入されるとともに、第１端子３，３´を第２端子４，４´と電気的に接続するように機能するコネクタアセンブリ１を示す。第１端子３，３´は、バッテリに通じるケーブルに接続されうる。第２端子４，４´は、バッテリの電気エネルギーを分散させるためシールド線５，５´に接続される。コネクタアセンブリ１は二つの極を備える２極設計であり、各極が第１端子３と第２端子４とを有する。概して、コネクタアセンブリ１は多極設計のうちの一つの極のものであってもよい。以下では、第１端子３，３´の一方のみ、または第２端子４，４´の一方のみが言及される場合は、他のすべての極を代表して説明されている。
【００２８】
第１端子３，３´に接続されるケーブル（不図示）は、ケース２のハウジング７の中の開口部６４を案内される。第１端子３，３´はケース２の中に配置される。第２端子４，４´がケース２内に完全に配置されるように、シールド線５，５´の各々はハウジング７の挿入孔６，６´を案内される。第２端子４，４´は、シールド線５，５´の導体に電気接続される。シールド線５，５´は、ケース２に取り付けられたシールドコネクタ８，８´に結合される。シールドコネクタ８，８´は、ケース２との接触状態に保持され、そのためケース２への電気接続を有するシールド端子９，９´を包含し、ケース２は金属材料で製作される。シールド端子９，９´は、ケースへのアース接続を構築する。シールド端子９，９´は、シールド線５，５´のシールド導体１５，１５´に電気接続され、シールド導体１５，１５´は、主導体１４，１４´とケーブル絶縁体１６，１６´とを囲繞する編組導体である。
【００２９】
コネクタアセンブリ１に到達して第１端子３，３´と第２端子４，４´との間の接続を確立するため、ケース２は、カバー１０によって閉じられる開口部１７を有する。カバー１０とハウジング７との間にはシール１１が配置される。カバー１０は、締結ボルト１２によりハウジング７に固定される。
【００３０】
ケース２のハウジング７は、締結ボルト１３により電気機器に締結される。
【００３１】
コネクタアセンブリ１は、電気絶縁材料製の端子ホルダ１８を包含する。端子ホルダ１８は、締結アセンブリ２０，２０´を収容する受容部１９，１９´を各孔について有する。図２から分かるように、受容部１９は、締結アセンブリ２０と第１端子３とを受容部１９へ挿入するための第１開口部２１を有する。さらに、受容部１９は、第２端子４を挿入するための第２開口部２２を有する。
【００３２】
図１に示されているように他方の締結アセンブリ２０´と同一であって、以下では他方の締結アセンブリ２０´を代表して説明される締結アセンブリ２０は、ネジヘッド２４とネジ形成シャフト２５とを備えるネジの形の第１締結部材２３を包含する。ネジヘッド２４は、工具のための六角形凹部２６を有する。ネジヘッド２４とネジ形成シャフト２５との間の移行エリアで、ネジヘッド２４は外周カラー２７を有する。
【００３３】
締結アセンブリ２０はさらに、ネジナットの形の第２締結部材２９を包含する。ネジナットは、ネジ形成シャフト２５がネジ結合される内ネジ２８を有する。第２締結部材２９は代替的に、端子ホルダ１８の内ネジへネジ２３がネジ結合されるように、端子ホルダ１８または端子ホルダ１８の一部により形成されうる。本実施形態では、第２締結部材２９は独立要素である。
【００３４】
第１端子３と第２端子４との間に電気接点を確立するため、第１端子３と第２端子４とはネジヘッド２４とネジナット２９との間に挟持される。ネジヘッド２４とネジナット２９との間にあるネジ形成シャフト２５の周囲のエリアは、端子３，４の接続端部が挟持のために配置される端子受容エリア３７と考えられる。
【００３５】
端子３，４の間に確実な接続を確立するため締結アセンブリ２０が端子３，４に充分な力を加えることができるように、ネジ２３とネジナット２９の両方が金属材料で製作される。締結部材２３，２９と端子３，４の一方との間の電気接触を回避するため、締結アセンブリ２０はさらに、絶縁スリーブ３１を包含する絶縁構成３０を包含する。絶縁スリーブ３１は、ネジ２３のネジ形成シャフト２５を収容するための中央ボア３６を有する。ネジヘッド２４に向かって配置される絶縁スリーブ３１の端部で、絶縁スリーブ３１は、絶縁スリーブ３１から径方向に延出するとともに、長手方向Ｌについての軸線方向にネジヘッド２４に対して支持されるフランジ部分３２を有する。絶縁構成３０はさらに、フランジ部分３２と反対にある絶縁スリーブの他端部に配置されてネジナット２９に対する支持接触状態にある絶縁ワッシャ３３を包含する。絶縁ワッシャ３３は孔３４を有する。ネジ２３のネジ形成シャフト２５は、絶縁ワッシャ３３の孔３４で案内されて、ネジヘッド２４と反対にある絶縁ワッシャ３３の側でネジナット２９の内ネジ２８にネジ結合される。
【００３６】
絶縁構成３０の容易な予備組立を促すため、絶縁ワッシャ３３の孔３４は、絶縁スリーブ３１の方に配置されて、絶縁スリーブ３１に対して絶縁ワッシャ３３を径方向に支持する絶縁スリーブ３１の一部を収容する大径部分３５を有する。
【００３７】
絶縁構成３０は、ポリテトラフルオロエチレン（ＰＴＦＥ）などの電気絶縁材料で製作される。ゆえに、二つの締結部材２３，２９は、絶縁構成３０により端子受容エリア３７に対して完全に絶縁される。
【００３８】
第１端子３は、孔３８を有するいわゆるアイレットコネクタの形で構成される。ネジ形成シャフト２５と絶縁スリーブ３１とは、第１端子３がネジ２３と接触しないように第１端子３の孔３８に収容される。ナット２９に向かう軸方向において、第１端子３がネジナット２９とも接触しないように、第１端子３は絶縁ワッシャ３３に対して支持されている。
【００３９】
第２端子４も第１端子と同様のアイレットコネクタの形であるか、あるいは図１に示されているように、第２端子４が絶縁スリーブ３１へ径方向に摺動するように第２端子４がスロット３９を有するフォークの形であってもよい。図２に示されているように、第２端子４も絶縁スリーブ３１のみと接触状態にあって、ネジ２３と接触していない。軸方向において、ネジヘッド２４との接触が回避されるように、第２端子４は絶縁スリーブ３１のフランジ部分３２に対して支持されている。
【００４０】
各受容部１９は、互いに平行な配向を持つ二つの対向配置された溝部４０，４１を有する。絶縁スリーブ３１のフランジ部分３２は、溝部４０，４１で案内される二つの対向配置平行縁部４２，４３を備える矩形形状を有する。絶縁スリーブ３１が第１開口部２１から受容部１９へ挿入されうるように、溝部４０，４１は第１開口部２１から始まっている。フランジ部分３２は、溝部４０，４１に対して軸線方向に支持されている。
【００４１】
絶縁スリーブ３１が溝部４０，４１から不用意に引き出されることを回避するため、端子ホルダ１８は各受容部１９，１９´について二つの弾性バネアーム４４，４５を備える。二つのバネアーム４４，４５は溝部４０，４１と平行な配向を持ち、長手軸線Ｌと平行に弾性変形されうる。各バネアーム４４，４５は、フランジ部分３２が長手軸線Ｌの径方向に支持されるように、バネアーム４４，４５からフランジ部分３２へ突出してフランジ部分３２の前縁部４８，４９と嵌合するロックキャッチ４６，４７を有する。
【００４２】
各バネアーム４４，４５はさらに、受容部１９と反対であるバネアーム４４の側でバネアーム４４，４５から長手方向に突出する壁部分５０，５１を包含する。壁部分５０，５１の各々はロックキャッチ５２，５３を有し、ロックキャッチ５２，５３は互いに向かって配置されている。ネジヘッド２４は壁部分５０，５１の間に配置され、ネジ２３がナット２９へネジ結合されない限り、ネジヘッド２４の外周カラー２７はロックキャッチ５２，５３により定位置に保持される。
【００４３】
ナット２９は、六角形の外周部を有して、相補形状つまり六角形輪郭を有する第１凹部５４に収容されるため、第１凹部５４において長手軸線Ｌを中心として回転しないようにナット２９が固着される。
【００４４】
端子ホルダ１８はさらに、絶縁ワッシャ３３を収容するための第２凹部５５を包含する。絶縁ワッシャ３３が長手軸線Ｌを中心とする回転に対して支持されて不用意に受容部１９から引き出されないように、絶縁ワッシャ３３は方形の外側輪郭を有して第２凹部５５は相補形状を有する。
【００４５】
端子ホルダ１８は、ケース２のハウジング７の支持体５８に保持される。端子ホルダ１８は二つのバネアーム５６を有し、その一方が図面に示され、端子ホルダ１８の両側に配置されている。バネアーム５６は、支持体５８の相補的切欠きとの嵌合状態にあるロック突起５７を有する。
【００４６】
コネクタアセンブリの組立者が通電部品に触れないことをさらに保証するため、端子ホルダ１８から突出する第１端子３の部分は、図１および２に示されているように（図２の断面図で太い黒色線で記されているように）絶縁コーティング５９により被覆されている。第１端子３のアイレット部はコーティングされていない。ハウジング７の開口部１７を通って上方から、操作者またはコネクタアセンブリの組立者が通電部品の一つに触れることがなく、普通の金属製工具を通電部品の一つと接触させることがないように、第２端子４は絶縁管体６０により被覆されている。
【符号の説明】
【００４７】
１  コネクタアセンブリ
２  ケース
３，３´  第１端子
４，４´  第２端子
５，５´  シールド線
６，６´  挿入孔
７  ハウジング
８，８´  シールドコネクタ
９，９´  シールド端子
１０  カバー
１１  シール
１２  締結ボルト
１３  締結ボルト
１４，１４´  主導体
１５，１５´  シールド導体
１６，１６´  ケーブル絶縁体
１７  開口部
１８  端子ホルダ
１９，１９´  受容部
２０，２０´  締結アセンブリ
２１，２１´  第１開口部
２２，２２´  第２開口部
２３，２３´  第１締結部材（ネジ）
２４，２４´  ネジヘッド
２５  ネジ形成シャフト
２６，２６´  六角形凹部
２７，２７´  カラー
２８  内ネジ
２９  第２締結部材（ネジナット）
３０，３０´  絶縁構成
３１，３１´  絶縁スリーブ
３２，３２´  フランジ部分
３３，３３´  絶縁ワッシャ
３４  孔
３５  大径部分
３６  ボア
３７  端子受容エリア
３８  孔
３９，３９´  スロット
４０，４０´  溝部
４１，４１´  溝部
４２  縁部
４３  縁部
４４，４４´  バネアーム
４５，４５´  バネアーム
４６，４６´  ロックキャッチ
４７，４７´  ロックキャッチ
４８  前縁部
４９  前縁部
５０，５０´  壁部分
５１，５１´  壁部分
５２，５２´  ロックキャッチ
５３，５３´  ロックキャッチ
５４，５４´  第１凹部
５５，５５´  第２凹部
５６  バネアーム
５７  ロック突起
５８  支持体
５９  コーティング
６０  管体
Ｌ  長手軸線
【図１】
2016115675.tif 000003
【図２】
2016115675.tif 000004
【図３】
2016115675.tif 000005
【図４】
2016115675.tif 000006
【外国語明細書】
2016115675.tif 000007
2016115675.tif 000008
2016115675.tif 000009
2016115675.tif 000010
2016115675.tif 000011
2016115675.tif 000012
2016115675.tif 000013
2016115675.tif 000014
2016115675.tif 000015
2016115675.tif 000016
2016115675.tif 000017
2016115675.tif 000018
2016115675.tif 000019
2016115675.tif 000020
2016115675.tif 000021
2016115675.tif 000022
2016115675.tif 000023
2016115675.tif 000024
2016115675.tif 000025
2016115675.tif 000026
2016115675.tif 000027
2016115675.tif 000028
2016115675.tif 000029
2016115675.tif 000030
2016115675.tif 000031
2016115675.tif 000032
【図１】
2016115675.tif 000033
【図２】
2016115675.tif 000034
【図３】
2016115675.tif 000035
【図４】
2016115675.tif 000036